(57)【要約】      （修正有）【課題】枢着部と突出片の先端との幅に沿って、小片の短手方向に拡がった領域において曲げモーメントの分散を減少させ、曲げモーメントを開口用刻線の内側及びその近傍領域に更に一層集中させるような飲用液充填用缶の構成を提供すること。【解決手段】指かけ用孔５及び突出片を有し、かつ枢着部７に枢着されている小片６、前記枢着部７を基準として前記突出片と同様に前記指かけ用孔５に対し反対側の領域において形成され、かつ指かけ用孔５に挿入した指の上方への移動、及び突出片の下方への押圧を原因とする破断によって、開口部４を形成し得る開口用刻線８に基づく開口機構を上側面３に形成している飲用液充填用缶１において、当該上側面３における小片６及び開口用刻線８の両側であって、少なくとも前記枢着部７から前記突出片の先端に至るまでの幅に跨った領域に凸状又は凹状の補強用リブ１０を形成することに基づき前記課題を達成し得る飲用液充填用缶。【選択図】図１
2007091238.tif 000002
【特許請求の範囲】
【請求項１】
指かけ用孔及び突出片を有し、かつ枢着部に枢着されている小片、前記枢着部を基準として前記突出片と同様に前記指かけ用孔に対し反対側の領域において形成され、かつ指かけ用孔に挿入した指の上方への移動、及び突出片の下方への押圧を原因とする破断によって、開口部を形成し得る開口用刻線に基づく開口機構を上側面に形成している飲用液充填用缶において、当該上側面における小片及び開口用刻線の両側であって、少なくとも前記枢着部から前記突出片の先端に至るまでの幅に跨った領域に凸状又は凹状の補強用リブを形成していることに基づく飲用液充填用缶。
【請求項２】
補強用リブとは別に、上側面の外側周囲の縁に近接した少なくとも一部領域に凸状又は凹状の曲線状リブを設けたことを特徴とする請求項１記載の飲用液充填用缶。
【請求項３】
補強用リブを、枢着部から開口用刻線の内、当該枢着部から最も離れた位置までの幅に跨った領域に形成していることを特徴とする請求項１、２記載の飲用液充填用缶。
【請求項４】
小片の短手方向の最大幅と、開口用刻線の前記短手方向と同一方向の最大幅とが略同一に設計されており、両側の補強用リブが略並行に形成されていることを特徴とする請求項１、２記載の飲用液充填用缶。
【請求項５】
小片の短手方向幅の最大幅よりも、開口部用刻線の前記短手方向と同一方向の最大幅が大きく設計されており、両側の補強用リブの幅が、小片から開口用刻線の方向にかけて順次拡大した状態にあることを特徴とする請求項１、２記載の飲用液充填用缶。
【請求項６】
開口用刻線が枢着部から外周の縁付近まで拡開し、かつ外側周囲の縁の近傍において、略円弧状を形成したことによる扇形であることを特徴とする請求項５記載の飲用液充填用缶。
【請求項７】
開口用刻線の両端を枢着部と接続することによって、閉じた状態とするか、又は開口用刻線の一端を枢着部と接続し、他端を枢着部から離れた状態とすることによって開いた状態とすることによる楕円類似形状であることを特徴とする請求項５記載の飲用液充填用缶。
【発明の詳細な説明】
【技術分野】
【０００１】
本発明は、ビール、ジュースなどの飲用液充填用缶の上側面の技術的改良に関するものである。
【背景技術】
【０００２】
ビール、ジュースなどを充填した飲用液充填用缶の上側面は、図４に示すように、指かけ用孔５を有している小片６が、略中央に位置している枢着部７によって枢着される一方、開口部４を形成するための開口用刻線８が枢着部７を基準として指かけ用孔５と反対側の領域に形成されている（尚、図４の斜線部分については、本項において後に説明するとおりである。）。
【０００３】
飲用液充填用缶１においては、飲用のための開口に際し、小片６の内、指かけ用孔５を介して小片６を上側に持ち上げ、枢着部７を基準として指かけ用孔５と反対側に位置している小片６の突出片９によって、開口用刻線８によって囲まれた領域を押圧し、当該領域と他の領域とを開口用刻線８の破断を介して分離することによって開口部４を形成している。
【０００４】
このようにして、開口部４を形成する場合には、突出片は開口用刻線８によって囲まれた領域を押圧する一方、枢着部７は小片６によって持ち上げられており、少なくとも枢着部７から突出片に至る幅に跨った領域、即ち、図４に示すように、当該幅に沿って小片６の短手方向である左右方向に拡がった領域においては、突出片側を下方に押圧し、枢着部７側短手方向に沿った前記幅領域に沿って拡散している。
尚、実際の曲げモーメントの拡散状態は、図４に示すような幅に跨った左右方向の領域だけではなく、当該幅に跨った左右方向の領域よりも更に前後方向にも広がった領域まで及んでいるものと解されるが、少なくとも前記幅に跨った左右方向の領域においては確実に曲げモーメントが拡散していることを示すために、敢えて図４による表示を採用した。
【０００５】
しかしながら、このような曲げモーメントが拡散した場合には、突出片と枢着部７とによる曲げモーメントを開口用刻線８の領域内及びその近傍に集中させ、かつ開口用刻線８の領域内と領域外との応力の差の程度を大きくすることによって、効率的な前記破断及び開口を行ううえで支障とならざるを得ない。
【０００６】
何故ならば、前記拡散が生じている場合には、枢着部７及び突出片６から離れるに従って、応力が減少していく度合いが緩慢なものとならざるを得ないからである。
【０００７】
逆に、曲げモーメントが図４の斜線部分によって示される前記幅領域に分散せずに開口用刻線８によって囲まれる内側及びその近傍に集中した場合には、曲げモーメントによって生ずる前記のような応力が順次減少していく度合いをより急激なものとすることができ、ひいては、開口用刻線８の領域内と領域外との応力の差に基づいて、開口用刻線８における破断、更には開口を効率的に実現することが可能となる。
【０００８】
近年特許文献１、２に示すように、大きな開口部を形成することによって、飲用液をコップに注いで飲用する場合と同じような喉越し効果を求める飲用液充填用缶の構成が開示されており、このような大きな開口部を形成する場合には、元々開口用刻線内に応力を集中させることが困難である以上、前記のような曲げモーメントの分散を少なくすることが極めて重要である。
【０００９】
にも拘らず、今日に至るまでこのような曲げモーメントの分散を防止するような飲用液充填用缶の構成は、これまで提唱されていない。
【００１０】
現に特許文献３、４においては、上側面に補強用リブを形成し、しかも効率的な開口を行うことに関する構成が開示されているが、前記のような曲げモーメントの拡散の程度を減少させるという基本的技術思想は開示されていない。
【００１１】
【特許文献１】実開平６−３５１２５号公報。
【特許文献２】特開平８−２６８４２９号公報。
【特許文献３】特開昭４９−６７７８７号公報。
【特許文献４】特開昭４９−１０１１９２号公報。
【発明の開示】
【発明が解決しようとする課題】
【００１２】
本発明は、従来技術のように、枢着部と突出片の先端との幅に沿って、小片の短手方向に拡がった領域において曲げモーメントの分散を減少させ、曲げモーメントを開口用刻線の内側及びその近傍領域に一層集中させるような飲用液充填用缶の構成を提供することを課題としている。
【課題を解決するための手段】
【００１３】
前記課題を解決するため、本発明の基本構成は、
（１）指かけ用孔及び突出片を有し、かつ枢着部に枢着されている小片、前記枢着部を基準として前記突出片と同様に前記指かけ用孔に対し反対側の領域において形成され、かつ指かけ用孔に挿入した指の上方への移動、及び突出片の下方への押圧を原因とする破断によって、開口部を形成し得る開口用刻線に基づく開口機構を上側面に形成している飲用液充填用缶において、当該上側面における小片及び開口用刻線の両側であって、少なくとも前記枢着部から前記突出片の先端に至るまでの幅に跨った領域に凸状又は凹状の補強用リブを形成していることに基づく飲用液充填用缶、
（２）補強用リブとは別に、上側面の外側周囲の縁に近接した少なくとも一部領域に凸状又は凹状の曲線状リブを設けたことを特徴とする前記（１）の飲用液充填用缶
からなる。
【発明の効果】
【００１４】
前記（１）の構成においては、両側の補強用リブを形成することによって、枢着部と突出片の先端との間の幅に沿って、小片の短手方向、即ち左右方向の領域に形成された曲げモーメントが、両側の補強用リブにまで形成されるも、当該補強用リブを越えた縁領域まで分散することを減少させ、ひいては開口用刻線によって囲まれる領域、及びその近傍領域に曲げモーメントを集中させ、かつ開口用刻線の領域内と領域外とにおける応力の差を増大させることによって、開口作業を効率的に実現することが可能となる。
【００１５】
前記（２）の構成は、外側周囲の縁の近傍に曲線状リブを形成することによって、前記両側の補強用リブを一層変形し難い状態とし、これによって前記曲げモーメントを拡散することを減少させるという効果を更に助長している。
【００１６】
しかも、前記基本構成（１）、（２）のように、上側面において補強用リブが介在することは、上側面全体が補強されることから、従来技術による上側面よりもより薄い素材を採用することが可能となり、このような設計によって、更に前記開口作業が行い易くなる。
【発明を実施するための最良の形態】
【００１７】
本発明の基本原理に沿って説明する。
【００１８】
図３は、小片６の短手方向の最大幅と、開口用刻線８の前記短手方向と同一方向の最大幅とが略同一に設計されているという通常の設計において、両側の補強用リブ１０が略並行に形成されていることを特徴としている。
【００１９】
補強用リブ１０を設けた場合には、図５（ａ）が凸状リブの場合、又は図５（ｂ）のような凹状リブの場合の何れにおいても、補強用リブ１０の断面は曲げモーメントが作用する上下方向を少なくとも部分的に形成しているため、曲り難い素材を呈し、補強用リブ１０を越えて、曲げモーメントが伝達し難い状態を形成することになる。
【００２０】
図３においては、前記（２）の構成のように、外側周囲の縁の全周近傍において、曲線状（円弧状）のリブ１１が形成されているが、当該曲線状のリブ１１の形成は必要不可欠な要件ではない。
【００２１】
しかしながら、前記曲線状のリブ１１が外側周囲の縁の近傍に介在することによって、前記近傍の付近が変形し難い状態となることによって、両側の補強用リブ１０を一層変形し難い状態とし、ひいては開口用刻線８の近傍における曲げモーメントの集中を一層助長することを可能としている。
【００２２】
しかも、前記（２）の構成のように、上側面３の縁周辺に補強用リブ１０を設けた場合には、外側周囲の縁の付近において変化に富んだ模様を形成することになり、デザイン上の効果をも発揮することができる。
【００２３】
突出片が、開口用刻線８に囲まれた領域内を押圧した場合には、図３において斜線部分に示す領域だけでなく、突出片及び当該突出片と向かい合っている外側周囲の縁とによって挟まれる幅に沿った小片６の短手方向に広がった領域においても、曲げモーメントが発生している。
【００２４】
このような場合、図３に示すように、両側の補強用リブ１０が枢着部７の両側から開口用刻線の先端両側にまで及んでいる場合には、前記領域において生じている曲げモーメントについても、両側の補強用リブ１０の外側に拡散させることを減少させるという作用効果を発揮することが可能となる。
【００２５】
図３に示す前記実施形態とは別に、小片６の短手方向幅の最大幅よりも、開口用刻線８の前記短手方向と同一方向の最大幅が大きく設計されているという特許文献１、２のように、大きな開口部４を形成したうえで、両側の補強用リブ１０の幅が、小片６から開口用刻線８の方向にかけて順次拡大した状態にあることを特徴とする実施形態も採用可能である。
【００２６】
このような大きな開口部４を形成する場合の開口用刻線８の具体的な形状については、実施例１、２の図１及び図２に従って後述するとおりであるが、このような大きな開口部４を形成する実施形態においては、構成自体において既に曲げモーメントが分散し易い構成であるが故に、両側の補強用リブ１０によって曲げモーメントの分散を防止する作用効果は極めて有用な役割を発揮することになる。
【００２７】
以下実施例に即して説明する。
【実施例１】
【００２８】
実施例１は、図１に示すように、考案において説明した実施形態に立脚したうえで、開口用刻線８が枢着部７から外周の縁付近まで拡開し、かつ外側周囲の縁の近傍において、略円弧状を形成したことによる扇形であることを特徴としている。
【００２９】
実施例１は、特許文献１のように、外周部の縁の付近に、円弧状の大きな開口部４の形成によって、一方では開口部４を舌片状としたうえで、缶の縁に押し込むことによってビール及び発泡酒が開口部４を通じて外部に注出される際、内部に圧縮された状態にて収容されている気体（通常は炭酸ガス）に対し、舌片状となっている開口部４が遮蔽板として機能することによって自然な泡だち状態を惹起し、他方では大きな開口部４の形成によって、コップに注いだ場合と同じような喉越し効果を享受することが可能となる。
【実施例２】
【００３０】
実施例２は、図２に示すように、考案において説明した実施形態に立脚したうえで、開口用刻線８の両端を枢着部７と接続することによって、閉じた状態とするか、又は開口用刻線８の一端を枢着部７と接続し、他端を枢着部７から離れた状態とすることによって開いた状態とする楕円類似形状であることを特徴としている（尚、図２は開口用刻線８の端部８１の一端のみの枢着部７に接続したことによる開いた楕円類似形状を示すが、両端が枢着部７と接続したことによる閉じた楕円形状が図２から容易に類推し得ることから、当該楕円形状の図示は省略する。）。
【００３１】
実施例２もまた、楕円類似形状によって大きな開口部４を形成しており、実施例１と同様の作用効果を享受することが可能である。
【００３２】
しかも、実施例２のように、開口用刻線８が楕円類似形状であるため、枢着部７と小片６の突出片９との間の曲げモーメントが集中する領域に開口用刻線８が存在する割合が実施例１の構成よりも多くなり、更に一層効率的な開口を実現することが可能となる。
【産業上の利用可能性】
【００３３】
本発明は、飲用液充填用缶のみならず、他の液体充填用缶においても産業上利用することが可能である。
【図面の簡単な説明】
【００３４】
【図１】実施例１の構成を示す上面図である。
【図２】実施例２の構成を示す上面図である。
【図３】従来技術による小片及び開口用刻線に立脚した実施形態を示す上面図である。
【図４】従来技術の構成による飲用液充填用缶の上面図を示す。
【図５】本発明の基本原理を示す断面図であって、（ａ）は凸状リブの場合を示しており、（ｂ）は凹状リブの場合を示している（尚、白線による矢印は曲げモーメントが作用する方向を示す。）。
【符号の説明】
【００３５】
１  飲用液充填用缶
２  側面
３  上側面
４  開口部
５  指かけ用孔
６  小片
７  枢着部
８  開口用刻線
８１  開口用刻線の端部
９  突出片
１０  補強用リブ
１１  曲線状リブ
【図１】
2007091238.tif 000003
【図２】
2007091238.tif 000004
【図３】
2007091238.tif 000005
【図４】
2007091238.tif 000006
【図５】
2007091238.tif 000007